(57)【要約】【課題】溶接時のスパークから作業者を保護しながら、作業者の両手が自由に使え、且つ作業性の良好な金属棒把持具を提供する。【解決手段】金属棒把持具１ａは、金属棒を溶接のために挟んで把持する把持部材４と、把持部材４が一端に取り付けられた棒部材３と、棒部材３の長手方向に移動可能に設けられ、金属棒の溶接による光から使用者の目を保護するプレート２とを備える。【選択図】図１
2013013913.tif 000002
【特許請求の範囲】
【請求項１】
金属棒を溶接のために挟んで把持する把持部材と、
前記把持部材が一端に取り付けられた棒部材と、
前記棒部材に設けられ、前記金属棒の溶接による光から使用者の目を保護するプレートとを備えたことを特徴とする金属棒把持具。
【請求項２】
前記棒部材の長手方向に前記プレートとともにスライド可能に設けられた円筒状のゴム部材をさらに備える請求項１記載の金属棒把持具。
【請求項３】
前記金属棒の溶接による熱から前記ゴム部材を保護するために前記把持部材と前記ゴム部材との間に設けられた防熱部材をさらに備える請求項２記載の金属棒把持具。
【発明の詳細な説明】
【技術分野】
【０００１】
本発明は、金属棒を溶接のために挟んで把持する把持部材と、この把持部材が一端に取り付けられた棒部材とを備えた金属棒把持具に関する。
【背景技術】
【０００２】
従来、溶接のための金属棒把持具が知られている。この金属棒把持具は、金属棒を溶接のために挟んで把持する把持部材と、この把持部材が一端に取り付けられた棒部材とを備えている。
【０００３】
そして、このような金属棒把持具により金属棒を保持して溶接する溶接作業において、溶接時のスパークから作業者を保護する安全保護具としての溶接面が知られている（特許文献１）。このような溶接面には、作業者が手に持つ形式の手持ち溶接面と、作業者が頭部に被る形式の被り溶接面とがある。
【先行技術文献】
【特許文献】
【０００４】
【特許文献１】特開平５−３２９１７９号公報（１９９３年１２月１４日公開）
【発明の概要】
【発明が解決しようとする課題】
【０００５】
しかしながら、作業者が手に持つ形式の手持ち溶接面では、片手で溶接面を持つため、当該片手が溶接面の保持に占有され、溶接作業において両手が自由に使えず不便であるという問題がある。
【０００６】
また、作業者が頭部に被る形式の被り溶接面では、作業者の頭部に溶接面の重量が加わるので作業者の負担が増大するという問題がある。そして、作業者の頭部及び顔面が溶接面によって覆われてしまうため、通気性が悪く暑さによる作業者の不快感が増すという問題がある。
【０００７】
本発明の目的は、溶接時のスパークから作業者を保護しながら、作業者の両手が自由に使え、且つ作業性の良好な金属棒把持具を提供することにある。
【課題を解決するための手段】
【０００８】
本発明に係る金属棒把持具は、金属棒を溶接のために挟んで把持する把持部材と、前記把持部材が一端に取り付けられた棒部材と、前記棒部材に設けられ、前記金属棒の溶接による光から使用者の目を保護するプレートとを備えたことを特徴とする。
【０００９】
この特徴により、金属棒の溶接による光から使用者の目を保護するプレートを、把持部材が一端に取り付けられた棒部材に設けたので、この棒部材に設けたプレートが溶接面として機能し、溶接時のスパークから作業者を保護しながら、作業者の両手が自由に使え、且つ作業性の良好な金属棒把持具を提供することができる。
【００１０】
本発明に係る金属棒把持具は、前記棒部材の長手方向に前記プレートとともにスライド可能に設けられた円筒状のゴム部材をさらに備えることが好ましい。
【００１１】
上記構成により、円筒状のゴム部材が、棒部材の長手方向にプレートとともにスライド可能に設けられるので、プレートを棒部材の長手方向に沿って容易に移動させることができる。
【００１２】
本発明に係る金属棒把持具は、前記金属棒の溶接による熱から前記ゴム部材を保護するために前記把持部材と前記ゴム部材との間に設けられた防熱部材をさらに備えることが好ましい。
【００１３】
上記構成により、金属棒の溶接による熱からゴム部材を保護する防熱部材が、把持部材とゴム部材との間に設けられるので、金属棒の溶接による熱によるゴム部材への影響を防止して、ゴム部材を棒部材の長手方向に沿ってスムーズにスライドさせることができる。
【発明の効果】
【００１４】
本発明に係る金属棒把持具は、金属棒の溶接による光から使用者の目を保護するプレートを、把持部材が一端に取り付けられた棒部材に設けたので、この棒部材に設けたプレートが溶接面として機能し、溶接時のスパークから作業者を保護しながら、作業者の両手が自由に使え、且つ作業性の良好な金属棒把持具を提供することができる。
【図面の簡単な説明】
【００１５】
【図１】（ａ）は実施の形態１に係る金属棒保持具の構成を示す側面断面図であり、（ｂ）はその正面断面図である。
【図２】実施の形態２に係る金属棒保持具の構成を示す正面断面図である。
【図３】実施の形態３に係る金属棒保持具の構成を示す正面断面図である。
【図４】実施の形態４に係る金属棒保持具の構成を示す正面断面図である。
【発明を実施するための形態】
【００１６】
本発明の金属棒保持具に関する実施の一形態について図１〜図４に基づいて説明すれば以下のとおりである。
【００１７】
（実施の形態１）
図１（ａ）は実施の形態１に係る金属棒保持具１ａの構成を示す側面断面図であり、（ｂ）はその正面断面図である。図１（ａ）は図１（ｂ）に示す断面ＡＡに沿った断面図である。
【００１８】
金属棒保持具１ａは、断面円形状をした棒部材３を備えている。棒部材３の一端には、図示しない金属棒を溶接のために挟んで把持する一対の把持部材４が取り付けられている。一対の把持部材４は、それぞれ板状に構成され、棒部材３側では互いに平行に接して構成されている。先端側では一対の把持部材４は所定の間隔を空けて互いに平行に配置されるように、一対の把持部材４の一方は棒部材３から把持部材４の先端に向かう途中で外側に折り曲げられている。一対の把持部材４は、互いに外側に曲げ弾性変形することにより、その間に図示しない溶接のための金属棒を挟んで把持する。
【００１９】
金属棒保持具１ａには、棒部材３の長手方向に移動可能に設けられ、把持部材４により挟んで把持される図示しない金属棒の溶接による光から使用者の目を保護するプレート２が設けられている。このプレート２は、棒部材３の長手方向に垂直な面に沿って配置されている。
【００２０】
プレート２の表面の右下には孔が形成されており、この孔には、円筒形状をしたゴム部材５が固定されている。このゴム部材５は、棒部材３の長手方向に沿ってスライド可能に棒部材３に嵌めこまれている。このゴム部材５を棒部材３に対してスライドさせることにより、プレート２を棒部材３の長手方向にスライドさせることができる。ゴム部材５は、耐熱性を有するゴムによって構成すればよい。
【００２１】
プレート２の表面は、図１（ａ）に示すように、略正方形をしている。しかしながら、本発明はこれに限定されず、プレート２の表面は円形状でもよく、他の形状でもよい。
【００２２】
プレート２の材質は、アクリルを採用することができる。また、ポリ塩化ビニル、黒色、緑色等の半透明ガラスによってプレート２を構成してもよい。
【００２３】
棒部材３は、図１（ａ）に示すように、プレート２の右下隅部を通るように構成されている。棒部材３は、プレート２の中心以外の位置を通るように構成する。特に、四隅のいずれかを通るように構成することが好ましい。棒部材３を回転することによりプレート２を棒部材３の周りに回転移動させて、把持部材４に把持された溶接のための金属棒をプレート２を介さずに直接視認することと、金属棒と作業者の眼との間にプレート２を移動させてプレート２を介して金属棒を視認することとを選択することができるからである。
【００２４】
プレート２の棒部材３が通る側と反対側には、長方形状の切り欠き８が形成されている。切り欠き８には、溶接作業用の棒を通すことができる。
【００２５】
以上のように実施の形態１によれば、金属棒の溶接による光から使用者の目を保護するプレート２を、把持部材４が一端に取り付けられた棒部材３の長手方向に移動可能に設けたので、この棒部材３に設けたプレート２が溶接面として機能し、溶接時のスパークから作業者を保護しながら、作業者の両手が自由に使え、且つ作業性の良好な金属棒把持具１ａを提供することができる。
【００２６】
（実施の形態２）
図２は、実施の形態２に係る金属棒保持具１ｂの構成を示す正面断面図である。前述した構成要素と同一、類似の構成要素には同一、類似の参照符号を付し、その詳細な説明を省略する。
【００２７】
図１を参照して前述したように、円筒状のゴム部材５をプレート２に嵌めこみ、ゴム部材５を棒部材３に対してスライドさせる代わりに、図２に示すように、プレート２ｂの両側から円筒状の一対のゴム部材６により挟んで位置決めするように構成してもよい。プレート２ｂには、棒部材３に対応する孔が形成されており、プレート２ｂは、棒部材３の長手方向にスライド可能に、棒部材３に直接嵌めこまれている。一対のゴム部材６には、棒部材３に対応する孔が形成されており、一対のゴム部材６は、両側からプレート２ｂを挟んで位置決めする。
【００２８】
（実施の形態３）
図３は、実施の形態３に係る金属棒保持具１ｃの構成を示す正面断面図である。前述した構成要素と同一、類似の構成要素には同一、類似の参照符号を付し、その詳細な説明を省略する。
【００２９】
金属棒保持具１ｃには、把持部材４に把持された図示しない金属棒の溶接による熱からゴム部材５を保護するために、把持部材４とゴム部材５との間に設けられた防熱部材７がさらに設けられている。防熱部材７は、板状をしており、鉄またはステンレスにより構成する。把持部材４に把持された図示しない金属棒の溶接による熱は、防熱部材７によって吸収され、ゴム部材５が溶接の熱によって溶けることが防止される。
【００３０】
（実施の形態４）
図４は、実施の形態４に係る金属棒保持具１ｄの構成を示す正面断面図である。前述した構成要素と同一、類似の構成要素には同一、類似の参照符号を付し、その詳細な説明を省略する。
【００３１】
金属棒保持具１ｄの棒部材３ｄの把持部材４側の周面には図示しない雄ネジが形成されている。プレート２ｄの表面の隅部には、棒部材３ｄに対応する孔が形成されており、その孔の内周には、棒部材３ｄの雄ネジに対応する雌ネジが形成されている。棒部材３ｄに形成された雄ネジとプレート２ｄに形成された雌ネジとを係合させ、プレート２ｄを棒部材３ｄの周りに回転させることにより、プレート２ｄを棒部材３ｄの長手方向に移動させるように構成してもよい。
【００３２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００３３】
本発明は、金属棒を溶接のために挟んで把持する把持部材と、把持部材が一端に取り付けられた棒部材とを備えた金属棒把持具に利用することができる。
【符号の説明】
【００３４】
１  金属棒保持具
２  プレート
３  棒部材
４  把持部材
５  ゴム部材
６  ゴム部材
７  防熱部材
８  切り欠き
【図１】
2013013913.tif 000003
【図２】
2013013913.tif 000004
【図３】
2013013913.tif 000005
【図４】
2013013913.tif 000006